(57)【特許請求の範囲】
【請求項１】
カッタウェイが形成された胴体の裏板の幅方向に沿って延びた複数の桟のうち、前記カッタウェイに最も近い位置に固定される桟が、その固定位置における前記裏板の幅よりも短く、前記裏板の前記カッタウェイとは反対側に寄せて固定されていることを特徴とする弦楽器。
【請求項２】
前記カッタウェイに最も近い位置に固定される桟と前記カッタウェイに面している裏板の外縁との最短距離が１ｃｍ以上であることを特徴とする請求項１に記載の弦楽器。
【請求項３】
前記カッタウェイに最も近い位置に固定される桟の長さは、その固定位置における前記裏板の幅の５０％以上８０％以下であることを特徴とする請求項１または２に記載の弦楽器。
【請求項４】
カッタウェイが形成された胴体の裏板に固定される複数の桟のうち、前記カッタウェイに最も近い位置に固定される桟は、当該桟における前記カッタウェイ側の端から反対側の端に向かう方向に沿って剛性によって第１部分、第２部分および第３部分に区分けされ、前記第２部分の剛性は一定であり、前記第３部分の剛性は前記第２部分の剛性よりも低く、前記第１部分の剛性は前記第３部分の剛性よりも低い、ことを特徴とする弦楽器。
【請求項５】
前記第１部分における前記裏板に垂直な方向の厚さ、または前記カッタウェイに最も近い位置に固定される桟の長手方向に垂直な方向の前記第１部分の幅の少なくとも一方が、前記第３部分の厚さまたは幅よりも小さいことを特徴とする請求項４に記載の弦楽器。
【請求項６】
前記第１部分には、前記裏板に垂直な方向に前記第１部分の上面から下面を貫く孔、または前記第１部分の側面を貫く孔、が設けられていることを特徴とする請求項４に記載の弦楽器。
【発明の詳細な説明】
【技術分野】
【０００１】
本発明は、胴体にカッタウェイが形成された弦楽器に関する。
【背景技術】
【０００２】
ギター等の弦楽器では、ハイポジションで演奏するときの演奏性を向上させるために、胴体におけるネックとの接続部付近にカッタウェイが形成される場合がある。
【先行技術文献】
【特許文献】
【０００３】
【特許文献１】米国特許第４７４１２３８号
【非特許文献】
【０００４】
【非特許文献１】“手仕事日記「続・バイク好き！セロリ嫌い！」”、［Ｏｎｌｉｎｅ］、［平成２７年９月４日検索］、インターネット（ＵＲＬ：https://kazz12211.wordpress.com/%E3%82%AE%E3%82%BF%E3%83%BC%E4%BD%9C%E3%82%8A/9-felipe-conde-type-p-3/）
【非特許文献２】“Wood& Steel”, Volume 78 Winter 2014, p.15, Taylor guitars
【発明の概要】
【発明が解決しようとする課題】
【０００５】
しかし、ギターの胴体にカッタウェイが形成されると、裏板の固有振動数が高くなり、撥弦時にカッタウェイのないギターと同じような音色が得られない場合があった。
【０００６】
この発明は、以上説明した事情に鑑みてなされたものであり、カッタウェイのある弦楽器の音色をカッタウェイのない弦楽器の音色に近づけることを可能とする技術を提供することを目的とする。
【課題を解決するための手段】
【０００７】
ギターの胴体にカッタウェイが形成されると、その分だけ裏板等の面積が減るため、裏板等の剛性が高くなる。特に、側板が固定されているカッタウェイ周辺部の裏板の剛性は、他の部分（例えば、裏板中央部）よりも高い。また、裏板には強度（剛性）確保のために複数の桟（一般的には横桟）が固定されるが、当該桟がカッタウェイ周辺部に固定された場合、当該部分の剛性がさらに高くなる。カッタウェイのあるギターにおいて、裏板の固有振動数を低くするには、上記桟による裏板の剛性への寄与の度合いを減少させる必要がある。
【０００８】
そこで本発明は、カッタウェイが形成された胴体の裏板の幅方向に沿って延びた複数の桟のうち、前記カッタウェイに最も近い位置に固定される桟が、その固定位置における前記裏板の幅よりも短く、前記裏板の前記カッタウェイとは反対側に寄せて固定されていることを特徴とする弦楽器を提供する。
【０００９】
本発明によれば、カッタウェイに最も近い位置に固定される桟として、その固定位置における裏板の幅よりも長さの短い桟が用いられるため、当該桟によるカッタウェイ近傍部分の裏板の剛性への寄与の度合いが、他の部分の裏板の剛性への寄与の度合いよりも減少する。また、上記桟は、裏板のカッタウェイとは反対側に寄せて固定されており、当該桟とカッタウェイとの間が離れ、上記寄与の度合いはさらに減少する。このため、カッタウェイのない弦楽器の裏板の固有振動数に対する、カッタウェイのある弦楽器の裏板の固有振動数の上昇度合いが小さくなる。したがって、カッタウェイのある弦楽器の音色をカッタウェイのない弦楽器の音色に近づけることができる。
【００１０】
また、本発明によれば、次のような効果も得られる。従来、カッタウェイのないギターでは、桟は、その長手方向を裏板の幅方向（ネックに垂直な方向）に一致させて裏板に固定されていた。これに対し、非特許文献２に示すカッタウェイのあるギターでは、桟は、その長手方向を裏板の幅方向に対して斜めにして裏板に固定されている。このため、当該桟が固定された裏体の固有振動数は、長手方向を裏板の幅方向に一致させた桟が固定された裏板の固有振動数よりも小さくなっている。
【００１１】
上記斜めの固定態様を採用した場合、裏板の振動分布の左右対称性（ギターのネックを対象軸とした対称性）が崩れ、カッタウェイが形成されていないギターと同じような音色が得られなくなる。しかし、本願発明では、上記斜めの固定態様をとる必要はなく、上記問題が生じることはない。
【００１２】
なお、特許文献１および非特許文献１には、カッタウェイのあるギターが記載されている。これらの文献において、上記ギターの裏板に固定されている複数の桟のうち、当該カッタウェイに最も近い位置に固定される桟の長さは、本願発明と同様、その固定位置における裏板の幅よりも短い。しかし、本願発明は、裏板に横桟（長手方向が、裏板の幅方向と一致している桟）が固定されており、特許文献１に記載されたギターとは異なるものである。また、本願発明は、カッタウェイに最も近い位置に固定される桟が裏板のカッタウェイとは反対側に寄せて固定され、当該桟とカッタウェイとの間が離れているため、非特許文献１に記載されたギターとは異なるものである。
【図面の簡単な説明】
【００１３】
【図１】本発明の一実施形態であるギター１の構成を示す斜視図である。
【図２】同実施形態における裏板１３の内面側を示す正面図である。
【図３】同実施形態の効果を示す図である。
【図４】カッタウェイ１００の近傍部分の厚さを十分に薄く形成した桟１４＿１Ａの構成を示す図である。
【図５】カッタウェイ１００の近傍部分の幅を十分に狭く形成した桟１４＿１Ｂの構成を示す図である。
【図６】カッタウェイ１００の近傍部分に孔が形成された桟１４＿１Ｃの構成を示す図である。
【発明を実施するための形態】
【００１４】
図１は、本発明の一実施形態であるギター１の構成を示す斜視図である。ギター１は、中空状の胴体を有するギター（例えば、アコースティックギター）である。図１に示すように、ギター１は、胴体１０と、ネック２０と、弦３０とを有する。胴体１０は、表板１１と、側板１２と、裏板１３とを有する。胴体１０におけるネック２０との接続部付近にはカッタウェイ１００が形成されている。カッタウェイ１００は、ハイポジションを押さえて演奏するときの演奏性を向上させるためのものである。以下の説明では、ネック２０に平行な方向および垂直な方向を、それぞれ裏板１３の長手方向および幅方向と呼ぶ。
【００１５】
表板１１と裏板１３は、木材を所定の形状に裁断した平板材で構成される。表板１１と裏板１３は、各々略同一の形状を有し、所定の間隔をあけて対向する。側板１２は、表板１１および裏板１３の外形に沿う形状に成形された帯状の板材であり、表板１１および裏板１３の各々の周縁を全周にわたり相互に連結する。上記各板で囲まれた空間は、弦３０の振動を共鳴させる音響空間となっている。
【００１６】
図２は、裏板１３の内面側を示す正面図である。図２に示すように、裏板１３の内面側には、各々棒状の部材からなる桟１４＿１〜１４＿４が、例えば接着剤により接着されている。桟１４＿１〜１４＿４は、裏板１３の強度（剛性）確保のための補強部材である。桟１４＿１〜１４＿４は、いわゆる横桟（裏板１３の幅方向に沿って延びる桟）であり、その長手方向を裏板１３の幅方向と一致させ、各々略等間隔で裏板１３の長手方向各部に固定されている。
【００１７】
図２に示すように、カッタウェイ１００に最も近い位置には桟１４＿１が固定されている。桟１４＿１の両端部は、薄く削り落とされており、その厚さ（裏板１３の板面に垂直な方向の厚さ）は、その中央付近に比べて薄くなっている。
【００１８】
本実施形態における桟１４＿１の長さは、その固定位置における裏板１３の幅よりも短い。好ましくは、桟１４＿１の長さは、その固定位置における裏板１３の幅の５０％以上８０％以下、より好ましくは上記幅の６０％以上７０％以下である。また、本実施形態における桟１４＿１は、裏板１３のカッタウェイ１００とは反対側（裏板１３の中央（ネック２０の固定位置）よりも左側）に寄せて固定されている。このため、桟１４＿１とカッタウェイ１００との間、および桟１４＿１とカッタウェイ１００とは反対側の外縁との間は適度に離れている。例えば、桟１４＿１は、その左端が裏板１３のカッタウェイ１００とは反対側の外縁付近（あるいは、当該外縁から適度に離れた位置）に、その右端がカッタウェイ１００の裏板１３の長手方向における底部周辺（カッタウェイ１００による湾曲の開始地点Ａから下方に離れた位置）に固定されるように、その長さを決定してもよい。
【００１９】
本実施形態では、カッタウェイ１００に面している裏板１３の外縁と桟１４＿１との最短距離は所定長以上となっている。図２に示す例では、桟１４＿１の左端は側板１２の周辺に固定され、桟１４＿１の右端はカッタウェイ１００による湾曲の最も凹んだ地点Ｂから所定長だけ下方に離れた位置に固定されている。上記所定長（最短距離）は、好ましくは１ｃｍ以上、より好ましくは２〜３ｃｍである。なお、桟１４＿１の右端の固定位置を、カッタウェイ１００による湾曲の開始地点Ａを基準に決定してもよい。
【００２０】
桟１４＿１の下方には、桟１４＿２〜１４＿４が固定されている。桟１４＿２〜１４＿４の長さは、その固定位置における裏板１３の幅と略同一である。また、桟１４＿２〜１４＿４の両端付近の厚さは、その中央付近に比べて薄くなっている。
以上が本実施形態におけるギター１の構成である。
【００２１】
裏板１３には、撥弦時に、その周囲を固定端とする固有振動が発生する。この場合、裏板１３の固有振動数は、裏板１３の剛性（変形し難さ）および形状等に応じて定まる。
【００２２】
胴体１０にカッタウェイ１００が形成されると、その分だけ裏板等の面積が減るため、裏板１３の剛性が高くなる。また、裏板に桟を固定すると、裏板の剛性がさらに高くなる。このため、何ら策を講じないと、裏板の固有振動数が高くなり、撥弦時にカッタウェイが形成されていないギターと同じような音色が得られない。
【００２３】
しかしながら、本実施形態では、カッタウェイ１００に最も近い位置に固定される桟として、その固定位置における裏板１３の幅よりも短い桟１４＿１が用いられる。このため、桟１４＿１によるカッタウェイ１００近傍部分の裏板１３の剛性への寄与の度合いが減少する。
【００２４】
また、本実施形態では、桟１４＿１が、カッタウェイ１００に面している裏板１３の外縁から所定長以上離れた位置に固定されるため、上記寄与の度合いはさらに減少する。従って、カッタウェイ１００がないとした場合のギター１の裏板１３の固有振動数に対する、カッタウェイ１００のあるギター１の裏板１３の固有振動数の上昇度合いが小さくなる。
【００２５】
また、本実施形態では、桟１４＿１〜１４＿４が、その長手方向を裏板１３の幅方向と一致させた状態で固定されるため、従来技術のように裏板１３の振動分布の左右対称性（ギター１のネック２０を対象軸とした対称性）が崩れることはない。
【００２６】
以上より、本実施形態によれば、カッタウェイが形成されたギターの音色をカッタウェイが形成されていないギターの音色に近づけることができる。
【００２７】
図３は、本実施形態の効果を示す図である。図３（ａ）は、本実施形態におけるギター１の周波数特性を示す図である。図３（ｂ）は、比較例のギターの周波数特性を示す図である。比較例のギターは、裏板１３に固定される複数の桟のうち、カッタウェイ１００に最も近い位置に固定される桟の長さが、その固定位置における裏板１３の幅と略同一であるという点においてのみ、ギター１と異なる。図３（ａ）および（ｂ）には、基本モードおよび２次モードに対応する周波数の波形に矢印が付されている。両グラフを比較すると、図３（ａ）の方が、２次モードでの相対音圧レベルに対する基本モードでの相対音圧レベルの比が大きくなっている。このように、本実施形態によると、低音域の音色が強調され、高音域の音色が強調されやすいカッタウェイのあるギターの音色をカッタウェイのないギターの音色に近づけることができる。
【００２８】
＜他の実施形態＞
以上、この発明の各実施形態について説明したが、この発明には他にも実施形態が考えられる。例えば、以下の通りである。
【００２９】
（１）上記実施形態では、本発明のギターへの適用例について示したが、ギター以外の弦楽器に本発明を適用してもよい。例えば、ウクレレ等のような他の撥弦楽器やヴァイオリンやチェロ等のような擦弦楽器に本発明を適用してもよい。
【００３０】
（２）上記実施形態において、桟１４＿１のカッタウェイ１００の近傍部分の剛性を他の部分の剛性よりも低くしてもよい（変形例（３）〜（６）参照）。
【００３１】
（３）上記実施形態では、桟１４＿１の両端付近の厚さ（裏板１３の板面に垂直な方向の厚さ）が、その中央付近の厚さよりも薄く形成されていたが、カッタウェイ１００の近傍部分の厚さのみ他の部分の厚さよりも薄くしてもよい。図４は、カッタウェイ１００の近傍部分の厚さを十分に薄く形成した桟１４＿１Ａの構成を示す図である。図４（ａ）は、桟１４＿１Ａが固定された裏板１３の内面側を示す正面図である。また、図４（ｂ）は、図４（ａ）のＩ−Ｉ’線断面図である。図４（ｂ）に示すように、桟１４＿１Ａのカッタウェイ１００の近傍部分の厚さは、他の部分の厚さよりも十分に薄く形成されている。この場合、図４に示すように、桟１４＿１Ａの長さを、その固定位置における裏板１３の幅と略同一の長さにしても、上記実施形態と同様の効果が得られる。
【００３２】
（４）上記実施形態において、桟１４＿１のカッタウェイ１００の近傍部分の幅（桟１４＿１の長手方向に垂直な方向の幅）を、他の部分の幅よりも十分に狭くしてもよい。図５は、カッタウェイ１００の近傍部分の幅を十分に狭く形成した桟１４＿１Ｂの構成を示す図である。図５に示すように、カッタウェイ１００の近傍部分の幅は、他の部分の幅よりも十分に狭く形成されている。この場合、図５に示すように、桟１４＿１Ｂの長さを、その固定位置における裏板１３の幅と略同一の長さにしても、上記実施形態と同様の効果が得られる。
【００３３】
（５）上記実施形態において、桟１４＿１のカッタウェイ１００の近傍部分に十分な大きさおよび個数の孔を形成してもよい。図６は、カッタウェイ１００の近傍部分に孔が形成された桟１４＿１Ｃの構成を示す図である。図６（ａ）は、桟１４＿１Ｃが固定された裏板１３の内面側を示す正面図である。また、図６（ｂ）は、図６（ａ）のＩ−Ｉ’線断面図である。図６（ｂ）に示すように、桟１４＿１Ｃのカッタウェイ１００の近傍部分には、その側面を貫く複数の孔１４１が形成されている。この場合、図６に示すように、桟１４＿１Ｃの長さを、その固定位置における裏板１３の幅と略同一の長さにしても、上記実施形態と同様の効果が得られる。なお、裏板１３の板面に垂直な方向に、桟１４＿１Ｃの上面から下面を貫く孔１４１を桟１４＿１Ｃに形成してもよい。
【００３４】
（６）上記実施形態において、桟１４＿１のカッタウェイ１００の近傍部分を他の部分よりも十分に剛性の低い部材で構成してもよい。この場合、桟１４＿１の長さを、その固定位置における裏板１３の幅と略同一の長さにしても、上記実施形態と同様の効果が得られる。
【００３５】
（７）変形例（３）〜（６）を適宜組み合わせてもよい。
【符号の説明】
【００３６】
１…ギター、１０…胴体、１１…表板、１２…側板、１３…裏板、１４＿１〜１４＿４、１４＿１Ａ、１４＿１Ｂ、１４＿１Ｃ…桟、２０…ネック、３０…弦、１００…カッタウェイ。
【図１】
0006561789.tif 000002
【図２】
0006561789.tif 000003
【図３】
0006561789.tif 000004
【図４】
0006561789.tif 000005
【図５】
0006561789.tif 000006
【図６】
0006561789.tif 000007